(57)【特許請求の範囲】
【請求項１】
ロール状に巻かれたロール紙の芯に挿通することによりロール紙が装着されるロール紙軸本体と該ロール紙軸本体の端部に取り付けられた端部カバーとを有するとともに，プリンタの給紙装置に設けられた軸受部に取り付けられて，装着されたロール紙とともに回動することにより，ロール紙を給送するロール紙軸において，
係合部とトルク伝動制限部とを有するトルク・リミッタを備え，
前記係合部は，前記端部カバーを兼用し，かつ，前記軸受部に係合して回動しないように取り付けられるものであり，
前記トルク伝動制限部は，前記ロール紙軸本体の内部に設けられ，かつ，ロール紙軸本体に加えられるトルクが所定の値以上になると，ロール紙軸本体に加えられるトルクが前記係合部に伝動するのを解除し，ロール紙軸本体に加えられるトルクが所定の値より小さくなると，ロール紙軸本体に加えられるトルクを前記係合部に伝動させるものであり，
前記係合部が，前記軸受部に係止される突起を１つまたは周方向に２つ以上備え，
前記軸受部の給送方向後端側には、該軸受部より鉛直方向上方へ延設された直線部が形成され，
前記軸受部に係止される突起が，前記軸受部の後端側であって鉛直方向において前記直線部の下側に軸受部を構成する凹部の内側へ向かって前記直線部より突出するように形成された突出部と係合するように設けられ，
給送時におけるロール紙の回動方向は，該ロール紙の前記直線部側が下方から上方へ移動する方向となるように構成されていることを特徴とするトルク・リミッタ付きロール紙軸。
【請求項２】
請求項１において，前記係合部の外径が，前記ロール紙の芯の内径よりも小さい，ことを特徴とするトルク・リミッタ付きロール紙軸。
【請求項３】
請求項２において，前記係合部の外径が，前記ロール紙軸本体の外径とほぼ同じである，ことを特徴とするトルク・リミッタ付きロール紙軸。
【請求項４】
請求項１から３のいずれか１項において，前記係合部および前記トルク伝動制限部が，前記ロール紙軸本体の両端部のうち，ロール紙を装着する際にロール紙の芯に挿通させる端部側に設けられ，
前記ロール紙軸本体のもう一方の端部には，装着されるロール紙を衝止する衝止部材が設けられている，ことを特徴とするトルク・リミッタ付きロール紙軸。
【請求項５】
ロール紙に印刷を行うプリンタの給紙装置であって，
請求項１から４のいずれか１項に記載のトルク・リミッタ付きロール紙軸が取り付けられるとともに，該トルク・リミッタ付きロール紙軸の係合部を回動しないように係止する係止部を有する軸受部を備えている，ことを特徴とする給紙装置。
【請求項６】
請求項５に記載の給紙装置を備えていることを特徴とするプリンタ。
【発明の詳細な説明】
【０００１】
【発明の属する技術分野】
本発明は，トルク・リミッタを有するロール紙軸，該ロール紙軸が取り付けられる給紙装置，および該給紙装置を備えたプリンタに関する。
【０００２】
【従来の技術】
印刷用紙がロール状に巻かれたロール紙はロール紙軸に装着され，ロール紙が装着されたロール紙軸はプリンタの給紙部（給紙装置）に取り付けられる。そして，印刷時に，ロール紙は，ロール紙軸とともに回動することにより繰り出され，印字ヘッド側に給送される。
【０００３】
ロール紙軸が取り付けられる給紙部には，ロール紙軸（およびロール紙）の回動および回動停止を行う機構が特に設けられておらず，ロール紙の給送（すなわちロール紙軸の回動）は，もっぱら，給紙部の下流側に設けられた紙送りローラ（搬送ローラ）がロール紙の先端を挟圧搬送することによって行われる。
【０００４】
このため，紙送りローラが回動を停止し，給送を停止しても，ロール紙軸は，慣性によってすぐには回動を停止せず，その後しばらく回動し続ける。その結果，紙送りローラの回動停止後も，ロール紙が紙送りローラ側に繰り出されて，給紙部と紙送りローラとの間においてロール紙に撓みが生じることとなる。
【０００５】
この撓みは，ロール紙に，好ましくない癖，折り目等を発生させる原因となる。また，この撓みがある状態で，再び紙送りローラを回動させてロール紙の給送を開始すると，撓みの部分がまず給送され，その後，ローラ紙軸が回動を開始してロール紙が給送されることとなるが，この時に，搬送抵抗の急激な変化（サージング）が発生して，紙送りローラによる搬送に誤差が生じるおそれがある。そして，これらロール紙の好ましくない癖，折り目等，および紙送りローラの搬送誤差は，印字品質に悪影響を与える。
【０００６】
したがって，この撓みの発生を防止するために，従来の給紙部には，ロール紙軸の回動を制御するトルク・リミッタが設けられるとともに，該ロール紙軸には，このトルク・リミッタと係合する歯車が設けられていた。これにより，ロール紙軸は，紙送りローラによって一定以上のトルクが加えられた場合にのみ回動してロール紙を給送するとともに，紙送りローラの停止に伴い速やかに停止し，ロール紙の撓みの発生を防止するようになっていた。
【０００７】
【発明が解決しようとする課題】
しかし，このような従来のロール紙軸の回動制御では，給紙部にトルク・リミッタが設けられるので，給紙部の構造が複雑化するという問題があった。一方，給紙部の構造については，これを簡単化したいという要求もあった。
【０００８】
本発明は，このような状況に鑑みなされたものであり，その課題は，ロール紙軸が慣性によって回動することにより生じるロール紙の撓みを防止し，かつ，給紙部（給紙装置）の構造を簡単化することにある。
【０００９】
【課題を解決するための手段】
前記課題を達成するために，本願請求項１に記載の発明に係るトルク・リミッタ付きロール紙軸は，ロール状に巻かれたロール紙の芯に挿通することによりロール紙が装着されるロール紙軸本体と該ロール紙軸本体の端部に取り付けられた端部カバーとを有するとともに，プリンタの給紙装置に設けられた軸受部に取り付けられて，装着されたロール紙とともに回動することにより，ロール紙を給送するロール紙軸において，係合部とトルク伝動制限部とを有するトルク・リミッタを備え，前記係合部は，前記端部カバーを兼用し，かつ，前記軸受部に係合して回動しないように取り付けられるものであり，前記トルク伝動制限部は，前記ロール紙軸本体の内部に設けられ，かつ，ロール紙軸本体に加えられるトルクが所定の値以上になると，ロール紙軸本体に加えられるトルクが前記係合部に伝動するのを解除し，ロール紙軸本体に加えられるトルクが所定の値より小さくなると，ロール紙軸本体に加えられるトルクを前記係合部に伝動させるものであり，前記係合部が，前記軸受部に係止される突起を１つまたは周方向に２つ以上備え，前記軸受部の給送方向後端側には，該軸受部より鉛直方向上方へ延設された直線部が形成され，前記軸受部に係止される突起が，前記軸受部の後端側であって鉛直方向において前記直線部の下側に軸受部を構成する凹部の内側へ向かって前記直線部より突出するように形成された突出部と係合するように設けられ，給送時におけるロール紙の回動方向は，該ロール紙の前記直線部側が下方から上方へ移動する方向となるように構成されていることを特徴とする。
【００１０】
ここで，「所定の値」とは，ロール紙を駆動搬送する装置（たとえば紙送りローラ等）によりロール紙を介してロール紙軸本体に加えられるトルク値以下であって，印字品質を劣化させないトルク値をいう。
【００１１】
本願請求項１に記載の発明によると，ロール紙を駆動搬送する装置（たとえば紙送りローラ等）によってロール紙が搬送されることにより，ロール紙軸本体にロール紙を介して所定の値以上のトルクが加えられると，ロール紙軸本体に加えられるトルクの係合部への伝動が，トルク伝動制限部によって解除される。これにより，ロール紙軸本体は，係合部に対して，加えられたトルクに従って回動自在となる。係合部は，プリンタの給紙装置（給紙部）に設けられた軸受部に係合して回動しないように取り付けられているので，ロール紙軸本体のみが，加えられたトルクに従って回動し，これにより，装着されたロール紙が給送（搬送）される。
【００１２】
一方，ロール紙を駆動搬送する装置が停止し，ロール紙軸本体にロール紙を介して加えられるトルクが所定の値よりも小さくなると，ロール紙軸本体に加えられるトルクが，トルク伝動制限部によって係合部に伝動される。これにより，ロール紙軸本体の回動は，回動しない係合部によって制動され，速やかに停止する。その結果，ロール紙の撓みの発生が防止される。
【００１３】
また，本願請求項１に記載の発明によると，ロール紙軸がトルク・リミッタを備えているので，給紙装置（給紙部）にトルク・リミッタを設ける必要はなく，給紙装置の構造を簡単化することができる。
【００１４】
さらに，通常，ロール紙軸本体の内部は，軽量化のために中空とされ，その両端部には，中空のロール紙軸本体のキャップとして，端部カバーが取り付けられている。本願請求項１に記載の発明によると，トルク伝動制限部がロール紙軸本体内部の中空部に設けられるので，ロール紙軸本体内部の空間を有効利用できるとともに，ロール紙軸の外形が複雑化することを回避できる。また，係合部が端部カバーを兼用するので，部品点数の増加を抑えることができるとともに，ロール紙軸自体の外観構造も，従来の歯車が省略される分簡素化される。その結果，ロール紙軸を取り扱いやすいものとすることができる。
本願請求項１に記載の発明によると，係合部が，軸受部に係止される突起を１つまたは周方向に２つ以上備えているので，ロール紙軸本体がロール紙とともに回動して給送を行っている間も，係合部の回動を確実に防ぐことができ，その結果，トルク・リミッタを確実に機能させることができる。
【００１５】
本願請求項２に記載の発明に係るトルク・リミッタ付きロール紙軸は，請求項１において，前記係合部の外径が，前記ロール紙の芯の内径よりも小さい，ことを特徴とする。
【００１６】
本願請求項２に記載の発明によると，係合部の外径が，ロール紙の芯の内径よりも小さいので，係合部が設けられた側からもロール紙軸本体をロール紙に挿通させ，ロール紙を装着することができる。
【００１７】
本願請求項３に記載の発明に係るトルク・リミッタ付きロール紙軸は，請求項２において，前記係合部の外径が，前記ロール紙軸本体の外径とほぼ同じである，ことを特徴とする。
【００１８】
本願請求項３に記載の発明によると，係合部の外径が，ロール紙軸本体の外径とほぼ同じであるので，ロール紙をロール紙軸本体に固定してロール紙をロール紙軸本体とともに回動させるためにロール紙軸本体に装着される，ロール紙軸本体の外径とほぼ同じ大きさの内径を有する固定部材であっても，該固定部材を，係合部が設けられた側からロール紙軸本体に装着することができる。
【００１９】
本願請求項４に記載の発明に係るトルク・リミッタ付きロール紙軸は，請求項１から３のいずれか１項において，前記係合部および前記トルク伝動制限部が，前記ロール紙軸本体の両端部のうち，ロール紙を装着する際にロール紙の芯に挿通させる端部側に設けられ，前記ロール紙軸本体のもう一方の端部には，装着されるロール紙を衝止する衝止部材が設けられている，ことを特徴とする。
【００２０】
本願請求項４に記載の発明によると，ロール紙軸本体の一方の端部には，係合部およびトルク伝動制限部が設けられ，他方の端部には，ロール紙を衝止する衝止部材が設けられる。したがって，ロール紙軸の一方の端部のみに重量が集中することがなく，ロール紙軸の両端部の重量バランスを保つことができる。これにより，ロール紙軸を安定して給紙装置に取り付けることができ，ひいては，安定した給紙を行うこともできる。
【００２３】
本願請求項５に記載の発明に係る給紙装置は，ロール紙に印刷を行うプリンタの給紙装置であって，請求項１から４のいずれか１項に記載のトルク・リミッタ付きロール紙軸が取り付けられるとともに，該トルク・リミッタ付きロール紙軸の係合部を回動しないように係止する係止部を有する軸受部を備えている，ことを特徴とする。
本願請求項５に記載の発明によると，この給紙装置においても，請求項１と同様の作用効果を得ることができる。
【００２４】
本願請求項６に記載の発明に係るプリンタは，請求項５に記載の給紙装置を備えていることを特徴とする。
本願請求項６に記載の発明によると，このプリンタにおいても，請求項５と同様の作用効果を得ることができる。
【００２５】
【発明の実施の形態】
図１は，本発明に係るトルク・リミッタ付きロール紙軸が取り付けられたプリンタの全体斜視図である。このプリンタ１は，Ａ１判またはＢ１判程度の大きさの印刷用紙まで印刷を行うことができ，給紙部（給紙装置）２，印刷部３および排紙部４を備えている。排紙部４の下部には，操作者が立った状態でこのプリンタ１を操作しやすい高さに支持するための脚部（図示略）を取り付けることができる。
【００２６】
給紙部２は，プリンタ１の後方上部に突き出るように形成されている。給紙部２の両サイドに設けられた本体側壁２０，２０には，ロール紙カバー２１の左右のカバー側壁が図示しないカバー回動軸によって回動可能に取り付けられ，これにより，ロール紙カバー２１は開閉自在となっている。図１は，ロール紙カバー２１が開いた状態を示しており，この図に示すように，ロール紙カバー２１は，後方に回動することにより開いた状態にされ，また，この開いた状態から前方に回動することにより閉じた状態にされる。なお，ロール紙カバー２１は，印刷時には閉じた状態にされている。
【００２７】
本体側壁２０，２０の内側には，ロール紙ホルダ２２，２２がカバー側壁を挟んで固設され，このロール紙ホルダ２２，２２に，ロール紙５が装着されたロール紙軸６が取り付けられる。
【００２８】
印刷部３は，その内部に，図示しないプラテン，キャリッジ等を備えるとともに，その前面に，突出して形成されたインク・カートリッジ・ケース３２を備えている。インク・カートリッジ・ケース３２の内部には，インクを蓄えたインク・カートリッジ（図示略）が収納され，キャリッジに取り付けられた印字ヘッド（図示略）にインク・チューブ（図示略）を介してインクを供給している。
【００２９】
給紙部２に取り付けられたロール紙５は，その前部から斜め下方に向かって繰り出されて，印刷部３に給送され，矢印Ａに示す副走査方向に搬送されながら印字ヘッドによって印刷される。
【００３０】
印刷部３の前面には，フロント・カバー３１が，手動により開閉可能に取り付けられている。このフロント・カバー３１の内部には，開口部（図示略）が形成され，この開口部を介して，メンテナンス（紙詰まりを起こしたロール紙の除去，プラテンの清掃等）を行うことができるようになっている。
【００３１】
排紙部４には，印刷部３で印刷されたロール紙が搬送され，搬送されてきたロール紙は，排紙斜面４１に沿って斜め下方に排紙されるようになっている。
【００３２】
図２は，本発明に係るトルク・リミッタ付きロール紙軸およびこのロール紙軸に装着されるロール紙を示す斜視図である。
【００３３】
内部が中空となっている円柱状のロール紙軸６は，ロール紙５が装着されるロール紙軸本体６１と，ロール紙軸本体６１の両端部に取り付けられた端部カバー６４および６５とを有する。端部カバー６４および６５は，ともにロール紙軸本体６１の外径とほぼ同じ外径を有する。端部カバー６４は，後述するトルク・リミッタの係合部を兼用している。
【００３４】
ロール紙軸６の図２における右側の端部は，図１における右側のロール紙ホルダ２２に載置され，図２における左側の端部は，図１における左側のロール紙ホルダ２２に載置される。
【００３５】
ロール紙軸６の右側の端部近傍には，衝止部材（固定用紙ストッパ）６２がロール紙軸本体６１に固設されている。この衝止部材６２は，円盤形状を有し，その直径は，装着されるロール紙５の直径よりも大きくなるように設定されている。衝止部材６２の内側端面（円盤面）６２ａは，ロール紙５の側端面５ｃが当接する当接面として構成されている。
【００３６】
衝止部材６２の当接面６２ａには，ロール紙軸６の中央部に向かって突設したロール紙芯受部６２ｃが一体的に形成されている。このロール紙芯受部６２ｃは，半径方向内側に撓み，ロール紙５の芯５ａに圧入されるように構成されている。これにより，ロール紙芯受部６２ｃは，ロール紙５をロール紙軸本体６１に固定し，ロール紙５をロール紙軸本体６１とともに回動させる固定部材として機能する。
【００３７】
ロール紙軸６の左側の端部近傍には，ロール紙５が装着された後，ロール紙５をロール紙軸本体６１と一体化して回動させるための固定部材（可動用紙ストッパ）６３が嵌め込まれ，固定される。この固定部材６３には，突設したロール紙芯受部６３ｃが一体的に形成されるとともに，このロール紙芯受部６３ｃを貫通し，ロール紙軸本体６１が挿通する孔６３ｂが形成されている。
【００３８】
孔６３ｂの内径は，ロール紙軸本体６１の外径とほぼ同じ大きさに設定されている。固定部材６３は，ロール紙芯受部６３ｃがロール紙軸６の中央部に向かうようにロール紙軸６に嵌め込まれる。
【００３９】
ロール紙芯受部６３ｃは，半径方向内側に撓み，ロール紙５の芯５ａに圧入されるように構成されている。これにより，ロール紙芯受部６３ｃは，ロール紙５をロール紙軸本体６１に固定し，ロール紙５をロール紙軸本体６１と一体化して回動させるように機能する。
【００４０】
このようなロール紙軸６へのロール紙５の装着は，次のようにして行われる。すなわち，ロール紙５は，プリンタ利用者によって，衝止部材６２側から見て左巻きになるようにロール紙軸６に挿通された後，ロール紙５の右側端面５ｃが当接面６２ａに当接するまで押し込まれ，ロール紙芯受部６２ｃが芯５ａに圧入する。その後，固定部材６３が，ロール紙軸６に挿通され，ロール紙芯受部６３ｃが芯５ａに圧入するまで押し込まれる。
これにより，ロール紙５は，右側端面５ｃを衝止部材６２によって衝止されるとともに，芯５ａを両芯受部６２ｃおよび６３ｃによってそれぞれ固定され，ロール紙軸６とともに回動することとなる。
【００４１】
なお，端部カバー６４がロール紙軸本体６１とほぼ同じ大きさの外径を有するので，ロール紙軸６を端部カバー６４側からロール紙５および固定部材６３に容易に挿通させることができる。
【００４２】
図３は，このトルク・リミッタ付きロール紙軸の左側の端部の拡大図であり，同図（ａ）は正面図，同図（ｂ）は左側面図である。
【００４３】
ロール紙軸本体６１の左側の端部には，前述したように，トルク・リミッタの係合部を兼用した端部カバー６４（以下「係合部６４」ともいう。）が取り付けられている。この係合部６４は，ロール紙軸本体６１の内部に内蔵されたトルク伝動制限部６６に回動軸６７を介して接続されている。
【００４４】
ロール紙軸本体６１は，ロール紙ホルダ２２（図１参照）に回動可能に取り付けられ，ロール紙５（図２参照）の給紙に伴ってローラ紙５とともに回動するようになっている。一方，係合部６４には，円周方向に複数（本実施の形態では８個）のリブ状突起６４ａが一体形成され，これらのリブ状突起６４ａの少なくとも１つがロール紙ホルダ２２に係止されることにより，係合部６４は，回動しないようにロール紙ホルダ２２に取り付けられる。
【００４５】
トルク伝動制限部６６は，ロール紙軸本体６１の内部に固設され，給紙に伴うロール紙軸本体６１の回動とともに回動するようになっている。このトルク伝動制限部６６は，紙送りローラがロール紙５を搬送（給送）することにより，所定の値以上のトルクがロール紙５を介してロール紙軸本体６１（すなわち，トルク伝動制限部６６）に加えられると，ロール紙軸本体６１に加えられるトルクが回動軸６７を介して係合部６４に伝動することを解除する。これにより，ロール紙軸本体６１は，係合部６４に対して，加えられたトルクに従って回動自在となる。係合部６４は，ロール紙ホルダ２２に回動しないように係止されているので，ロール紙軸本体６１（およびトルク伝動制限部６６）のみが，加えられたトルクに従って回動し，これにより，装着されたロール紙５が給送される。
【００４６】
一方，紙送りローラが停止し，ロール紙軸本体６１にロール紙５を介して加えられるトルクが所定の値よりも小さくなると，トルク伝動制限部６６は，ロール紙軸本体６１に加えられるトルクを回動軸６７を介して係合部６４に伝動する。これにより，ロール紙軸本体６１の回動は，回動しない係合部６４によって制動され，速やかに停止する。その結果，給紙部２と紙送りローラとの間におけるロール紙５の撓みの発生が防止される。
【００４７】
ここで，「所定の値」とは，紙送りローラにより与えられるトルク値以下であって，紙送りローラによるロール紙５の副走査方向への搬送を妨害することにより生じる印字品質の劣化を来さないトルク値をいう。なお，トルク伝動制限部６６の具体的な構成は，既存のトルク・リミッタのものを用いることができるので，ここでは，その詳細な説明は省略する。
【００４８】
また，本発明に係るトルク・リミッタ付きロール紙軸６では，トルク伝動制限部６６がロール紙軸本体６１の内部に内蔵されるので，ロール紙軸本体６１の内部空間を有効利用できるとともに，ロール紙軸６の外形が複雑化することを回避できる。さらに，係合部６４が端部カバーを兼用するので，部品点数の増加を抑えることができるとともに，ロール紙軸６自体の外観構造も，従来の歯車が省略される分簡素化される。その結果，ロール紙軸６を取り扱いやすいものとすることができる。またさらに，係合部６４，トルク伝動制限部６６および回動軸６７を，衝止部材６２が固設されている端部とは反対の端部に設けたことにより，ロール紙軸６の一方の端部にのみ重量が集中することが回避され，両端部の重量バランスを保つことができる。これにより，ロール紙軸６を安定して給紙部２に取り付けることができ，ひいては，安定した給紙を行うことができる。
【００４９】
図４は，左側のロール紙ホルダ２２の右斜め上方からの斜視図である。図５は，左側のロール紙ホルダの右側面図であり，図６は，左側のロール紙ホルダの平面図（上面図）である。図５および図６には，このロール紙ホルダに取り付けられるロール紙軸６を仮想線で示している。
【００５０】
左側のロール紙ホルダ２２には，ともに円弧状の凹部からなる軸受部２２ａおよび仮置き部２２ｂが形成されている。軸受部２２ａは，ロール紙５の給送時にロール紙軸６が載置される場所である。仮置き部２２ｂは，軸受部２２ａの前方に隣接して配置され，ロール紙軸６を軸受部２２ａに載置する前，または，ロール紙軸６を軸受部２２ａから取り外す際に，ロール紙軸６が一時的に載置される場所である。
【００５１】
ロール紙ホルダ２２は，軸受部２２ａの後端にある直線部２２３が，ほぼ鉛直方向となるように，給紙部２の本体側壁２０に固設されている。
【００５２】
軸受部２２ａは，ホルダ側壁２２ｃに隣接した第１載置部２２１と，第１載置部２２１に隣接した第２載置部２２２とから構成されている。第１載置部２２１には，ロール紙軸６の係合部６４（図２および図３参照）が載置され，第２載置部２２２には，ロール紙軸本体６１の端部が載置される。
【００５３】
第１載置部２２１には，軸受部２２ａを構成する凹部の内側に向かって突出した突出部２２４が一体形成されている。突出部２２４には，係合部６４のリブ状突起６４ａの１つが，ロール紙軸本体６１の給送時の回動方向（すなわち図５における反時計方向）に対して，当接点Ｂで係合する（すなわち引っ掛かる）ようになっており，これにより，ロール紙軸本体６１が回動しても，係合部６４は回動しないように係止されている。
【００５４】
第２載置部２２２には，ロール紙軸本体６１の回動を円滑にするために，ロール紙軸本体６１の回動に従動して回動する２つのローラ２２５および２２６が取り付けられている。
【００５５】
なお，右側のロール紙ホルダ２２は，前述した左側のロール紙ホルダ２２と鏡像関係（左右対称）の構造を有し，左側のロール紙ホルダ２２と同様に軸受部２２ａと仮置き部２２ｂを備えている。ただし，軸受部２２ａには，必ずしも第１載置部２２１および第２載置部が設けられている必要はない。一方，ロール紙軸６の図２における右側の端部（すなわち端部カバー６５側）にも，トルク・リミッタを設けることができ，この場合には，右側のロール紙ホルダ２２の軸受部２２ａにも，第１載置部２２１および第２載置部が設けられることとなる。
【００５６】
【発明の効果】
本発明によると，紙送りローラが停止し，ロール紙軸本体にロール紙を介して加えられるトルクが所定の値よりも小さくなると，ロール紙軸本体に加えられるトルクが，トルク伝動制限部によって係合部に伝動される。これにより，ロール紙軸本体の回動は，回動しない係合部によって制動され，速やかに停止する。その結果，ロール紙の撓みの発生が防止される。
【００５７】
また，本発明によると，ロール紙軸がトルク・リミッタを備えているので，給紙装置（給紙部）にトルク・リミッタを設ける必要はなく，給紙装置の構造を簡単化することができる。
【００５８】
さらに，本発明によると，トルク伝動制限部がロール紙軸本体内部の中空部に設けられるので，ロール紙軸本体内部の空間を有効利用できるとともに，ロール紙軸の外形が複雑化することを回避できる。また，係合部が端部カバーを兼用するので，部品点数の増加を抑えることができるとともに，ロール紙軸自体の外観構造も，従来の歯車が省略される分簡素化される。その結果，ロール紙軸を取り扱いやすいものとすることができる。
【図面の簡単な説明】
【図１】本発明に係るトルク・リミッタ付きロール紙軸が取り付けられたプリンタの全体斜視図である。
【図２】本発明に係るトルク・リミッタ付きロール紙軸およびこのロール紙軸に装着されるロール紙を示す斜視図である。
【図３】本発明に係るトルク・リミッタ付きロール紙軸の左側の端部の拡大図であり，（ａ）は正面図，（ｂ）は左側面図である。
【図４】左側のロール紙ホルダの斜め上方からの斜視図である。
【図５】左側のロール紙ホルダの右側面図である。
【図６】左側のロール紙ホルダの平面図（上面図）である。
【符号の説明】
１  プリンタ
２  給紙部（給紙装置）
５  ロール紙
６  ロール紙軸
２２ａ  軸受部
２２１  第１載置部
２２４  突出部
６１  ロール紙軸本体
６４  係合部
６６  トルク伝動制限部
６７  回動軸
６４ａ  リブ状突起
【図１】
0003744754.tif 000002
【図２】
0003744754.tif 000003
【図３】
0003744754.tif 000004
【図４】
0003744754.tif 000005
【図５】
0003744754.tif 000006
【図６】
0003744754.tif 000007